(57)【要約】【課題】レンズ光軸と平行な方向に長い形状の本体部を有する撮像装置において、通信性能を低下させることなく無線通信モジュールを搭載する。【解決手段】ビデオカメラ１００は、アンテナ部３０５を有する無線通信モジュール２０１と、ビデオカメラ１００の本体の天面側に配置されたズームキーユニット１１０と、バッテリ１０４を収納するために本体の後方に配置されたバッテリ収納部カバー１０９を備える。ズームキーユニット１１０の後方、且つ、バッテリ収納部カバー１０９の上方に、アンテナ部３０５が位置するように無線通信モジュール２０１を配置する。【選択図】図２
2014123880.tif 000002
【特許請求の範囲】
【請求項１】
撮像装置であって、
アンテナ部を有する無線通信モジュールと、
前記撮像装置の本体の天面側に配置された操作手段と、
電源手段を収納するために、前記本体に配置された収納手段とを備え、
前記操作手段の後方、且つ、前記収納手段の上方に前記アンテナ部が配置されていることを特徴とする撮像装置。
【請求項２】
前記操作手段は、操作部材と、前記操作部材を保持する基台となる固定板金を有し、
前記本体の上側から見たときに、前記固定板金と前記無線通信モジュールとは、一部が重なるように配置されつつ、少なくとも前記アンテナ部は前記固定板金とは重ならないように配置されていることを特徴とする請求項１記載の撮像装置。
【請求項３】
前記アンテナ部は、前記固定板金の後方に配置されていることを特徴とする請求項２記載の撮像装置。
【請求項４】
前記無線通信モジュールは、撮影レンズを包含するレンズ鏡筒を固定するための金属部品に対して２点で固定されていることを特徴とする請求項１乃至３のいずれか１項に記載の撮像装置。
【請求項５】
前記アンテナ部の周辺における前記本体の外観形状は略凸Ｒ形状に構成され、
前記アンテナ部の上方にリブ形状部が設けられていることを特徴とする請求項１乃至４のいずれか１項に記載の撮像装置。
【発明の詳細な説明】
【技術分野】
【０００１】
本発明は、無線通信機能を有する撮像装置に関する。
【背景技術】
【０００２】
無線通信機能を有する撮像装置として、撮像装置の本体部の上面近傍に無線通信モジュールを搭載したものが知られている。しかし、小型の撮像装置において本体部の上面近傍に無線通信モジュールを搭載すると、撮影者が撮像装置の本体部を把持した際に無線通信モジュールが手（指）で覆われてしまい、受信感度等の通信性能が低下してしまう。そこで、無線通信モジュールを左右方向の端に配置し、本体部の他の部分よりも一段高くすることにより、撮影者が撮像装置の本体部を把持した際に無線通信モジュールが手で覆われないようにした構造が提案されている（特許文献１参照）。
【先行技術文献】
【特許文献】
【０００３】
【特許文献１】特開２０１１−１０１２７５号公報
【発明の概要】
【発明が解決しようとする課題】
【０００４】
上記従来技術は、レンズ光軸と直交する方向に長い形状の本体部を有するコンパクトデジタルカメラのような撮像装置では、適切な無線通信モジュールの配置と言える。しかしながら、レンズ光軸と平行な方向に長い形状の本体部を有するデジタルビデオカメラのような撮像装置では、適切な無線通信モジュールの配置にはならない。即ち、デジタルビデオカメラを被写体側（又は撮影者側）から見たときの左右方向の端に無線通信モジュール配置し、その部分を本体部よりも一段高くしただけでは、撮像装置を把持した際に無線通信モジュールが手で覆われてしまい、通信性能が低下してしまう。
【０００５】
本発明は、レンズ光軸と平行な方向に長い形状の本体部を有する撮像装置の通信性能を低下させることなく無線通信モジュールを搭載する技術を提供することを目的とする。
【課題を解決するための手段】
【０００６】
本発明に係る撮像装置は、アンテナ部を有する無線通信モジュールと、前記撮像装置の本体の天面側に配置された操作手段と、電源手段を収納するために前記本体に配置された収納手段とを備え、前記操作手段の後方、且つ、前記収納手段の上方に前記アンテナ部が配置されていることを特徴とする。
【発明の効果】
【０００７】
本発明によれば、レンズ光軸と平行な方向に長い形状の本体部を有する撮像装置において、通信性能を低下させることなく、無線通信モジュールを搭載することができる。
【図面の簡単な説明】
【０００８】
【図１】本発明の実施形態に係る撮像装置の一例である（デジタル）ビデオカメラの外観斜視図である。
【図２】図１のビデオカメラの分解斜視図であり、本体部から表示部、トップカバー及びバッテリ収納部カバーを取り外した状態を示す図である。
【図３】図１のビデオカメラが備える無線通信モジュールの概略構造を示す平面図である。
【図４】図１のビデオカメラの概略構成を示すブロック図である。
【図５】図１のビデオカメラの本体部の内部構造を示す斜視図である。
【図６】図５に示した本体部の分解斜視図（撮影レンズを非表示）である。
【図７】図１のビデオカメラが備える無線通信モジュール、レンズホルダ及びカード基板の位置関係を示す平面図である。
【図８】図１の矢視Ａ−Ａ断面図である。
【発明を実施するための形態】
【０００９】
以下、本発明の実施形態について、添付図面を参照して詳細に説明する。ここでは、本実施形態に係る撮像装置として、デジタルビデオカメラ（以下「ビデオカメラ」と略す）を取り上げる。なお、本実施形態において、光軸方向被写体側を前側、光軸方向撮像素子側を後側として説明する。
【００１０】
＜ビデオカメラの概略構成＞
図１は、本発明の実施形態に係るビデオカメラ１００の外観斜視図である。ビデオカメラ１００は、レンズ光軸と平行な方向に長い形状を有しており、大略的に、本体部１０１と表示部１０２とにより構成されている。本体部１０１は、外装カバーの内部に各種の部品が配置されて構成されている。表示部１０２は、ヒンジ１０３により本体部１０１に対して開閉可能かつ回転可能に取り付けられている。なお、図１には、ビデオカメラ１００を駆動するためのバッテリ１０４が本体部１０１に装着された状態が示されている。
【００１１】
本体部１０１の内部には、図２を参照して説明する撮影レンズ２０２、メイン基板２０５、無線通信モジュール２０１等が配置されている。本体部１０１の外観部を構成する外装カバーは、トップカバー１０５、フロントカバー１０６、表示部収納カバー１０７、グリップカバー１０８及びバッテリ収納部カバー１０９により構成されている。本実施形態では、これらのカバーの全ては樹脂製（プラスチック製）である。但し、これに限定されるものではなく、無線通信モジュール２０１との関係で、少なくともトップカバー１０５とバッテリ収納部カバー１０９とが樹脂製であればよい。
【００１２】
ズーム操作を行うためのズームキーユニット１１０は、本体部１０１の天面側を構成するトップカバー１０５の後方側（バッテリ１０４側、光軸方向撮像素子側）に搭載される。ズームキーユニット１１０は、ズーム操作部材であるズームノブと、ズームノブの動きを電気信号に変換するスイッチが実装されたズーム基板とを有する。ズーム基板は、ズームキーユニット１１０の基台となる後述のズーム板金５０１に保持されており、メイン基板２０５（図２参照）に接続されている。
【００１３】
撮影開始および撮影終了の操作を行うためのトリガスイッチ１１１は、本体部１０１におけるトップカバー１０５の後方側、且つ、表示部１０２の反対側に配置される。レンズを保護するためのバリアユニットは、本体部１０１の前面側を構成するフロントカバー１０６が搭載される。表示部１０２は、ヒンジ１０３を介して表示部収納カバー１０７に取り付けられている。バッテリ収納部カバー１０９は、バッテリ１０４の着脱が可能な形状に設計されている。
【００１４】
図２は、ビデオカメラ１００の分解斜視図であり、本体部１０１から表示部１０２、トップカバー１０５及びバッテリ収納部カバー１０９を取り外した状態が示されている。ビデオカメラ１００では、トップカバー１０５の直下に無線通信モジュール２０１が配置されている。
【００１５】
無線通信モジュール２０１は、撮影レンズ２０２を包含するレンズ鏡筒を固定するための金属部材であるレンズホルダ２０３に固定されており、フレキシブル配線板２０４を介してメイン基板２０５に接続されている。ＳＤカードスロット等の記憶媒体スロットが実装されたカード基板２０６は、無線通信モジュール２０１の下側に配置されており、不図示のフレキシブル基板によりメイン基板２０５に接続されている。なお、カード基板２０６の後方にバッテリ収納部カバー１０９が配置されている。
【００１６】
＜無線通信モジュールの構成＞
図３は、無線通信モジュール２０１の概略構造を示す平面図である。無線通信モジュール２０１は、無線通信基板３００上に各種部品が搭載されて構成されている。無線通信モジュール２０１は、無線通信を行うためのアンテナ素子部３０１と、アンテナ素子部３０１とメイン基板２０５との間でデータ通信を行うために無線通信基板３００上に形成されたアンテナ回路３０２とを有する。これらのアンテナ素子部３０１とアンテナ回路３０２とがアンテナ部３０５を構成する。無線通信モジュール２０１とメイン基板２０５との通信接続は、無線通信基板３００上に配置された接続用コネクタ３０４とメイン基板２０５とをフレキシブル配線板２０４で接続することにより行われる。
【００１７】
アンテナ部３０５が金属部品によって覆われてしまうと、無線通信モジュール２０１の通信性能が低下する。そのため、アンテナ部３０５の周辺に金属部品を配置しない。そこで、詳細は後述するが、ビス固定穴３０３ａ，３０３ｂの２点で、無線通信基板３００とレンズホルダ２０３の電気的接続を行う。これにより、無線通信性能を向上させている。
【００１８】
＜ビデオカメラのブロック構成＞
図４は、ビデオカメラ１００の概略構成を示すブロック図である。ビデオカメラ１００は、撮像部４０１、Ａ／Ｄ変換器４０２、メモリ制御部４０３、メモリ４０４、システム制御部４０５、電源制御部４０６、電源部４０７、記憶媒体４０８を有する。撮像部４０１は、フォーカスレンズを含む撮影レンズ２０２を通して受光した被写体光学像を電気信号に変換するＣＣＤセンサやＣＭＯＳセンサ等である。Ａ／Ｄ変換器４０２は、撮像部４０１から出力されるアナログ信号をデジタル信号に変換する。
【００１９】
Ａ／Ｄ変換器４０２から出力されるデジタル信号である画像データは、メモリ制御部４０３を介してメモリ４０４に一時的に保存される。メモリ４０４は、画像表示用のメモリ（ビデオメモリ）を兼ねており、表示部１０２に表示する画像データを一時的に保存する。なお、メモリ４０４は、所定枚数の静止画像データや所定時間の動画像データ、音声データを格納するのに十分な記憶容量を有している。
【００２０】
システム制御部４０５は、ビデオカメラ１００全体を制御する。電源制御部４０６は、電池検出回路、ＤＣ−ＤＣコンバータ、通電ブロックを切り替えるスイッチ回路等により構成されており、電池装着の有無、電池の種類、電池残量の検出等の電源検出を行う。また、電源制御部４０６は、電源検出結果とシステム制御部４０５からの指示に従ってＤＣ−ＤＣコンバータを制御し、必要な電圧を必要な期間、ビデオカメラ１００の各部へ供給する。
【００２１】
電源部４０７は、アルカリ電池やリチウム電池等の一次電池、ＮｉＣｄ電池やＮｉＭＨ電池、Ｌｉ電池等の二次電池或いはＡＣアダプター等である。なお、図１に示したバッテリ１０４は、電源部４０７の一例である。記憶媒体４０８は、ＳＤメモリカード等の半導体メモリやハードディスク等の磁気ディスク、ＤＶＤ−ＲＡＭ等のオプティカルディスクである。
【００２２】
無線通信モジュール２０１は、システム制御部４０５の制御に従い、撮像部４０１によって取得されてＡ／Ｄ変換器４０２によりデジタル信号に変換された画像データを、アンテナ部３０５を介して無線通信により不図示の外部機器に送信する。
【００２３】
＜無線通信モジュールと周辺部品との位置関係＞
図５乃至図７を参照して、無線通信モジュール２０１と周辺部品との位置関係について説明する。図５は、ビデオカメラ１００の本体部１０１の内部構造（ビデオカメラ１００から表示部１０２及び外装カバーを取り除いたもの）を示す斜視図である。ズームキーユニット１１０の土台である固定板金（以下「ズーム板金」という）５０１は、無線通信モジュール２０１の上方に配置されている。
【００２４】
ビデオカメラ１００の上方から見たときに、無線通信モジュール２０１とズーム板金５０１とは一部が重なって配置されている。一方で、ビデオカメラ１００の上方から見たときに、アンテナ部３０５とズーム板金５０１の端面５０１ａとは重ならないように配置されている。即ち、ズーム板金５０１の後方（光軸方向撮像素子側）にアンテナ部３０５を配置することによって、アンテナ部３０５の上方には金属部品を配置することなくトップカバー１０５のみが配置された構造としている。これにより、無線通信モジュール２０１の通信性能がズーム板金５０１によって低下することはない。
【００２５】
図６は、図５に示した本体部１０１の分解斜視図であり、撮影レンズ２０２を非表示としている。無線通信モジュール２０１は金属製のビス６０１により２点でレンズホルダ２０３に固定されている。レンズホルダ２０３は金属製のビス６０２により２点でメイン基板２０５に固定されている。また、ズーム板金５０１は、金属製のビス６０３によりレンズホルダ２０３に固定されている。
【００２６】
このように金属製のビス６０１〜６０３を用いて、無線通信モジュール２０１、ズーム板金５０１、レンズホルダ２０３及びメイン基板２０５を電気的に接続する。これによって無線通信モジュール２０１、ズーム板金５０１、レンズホルダ２０３及びメイン基板２０５はメイン基板２０５に対してグランド接続される。このとき、無線通信モジュール２０１の上側にはズーム板金５０１が配置され、無線通信モジュール２０１の下側にはレンズホルダ２０３が配置されているため、無線通信モジュール２０１のグランド電位を安定的に確保することができる。
【００２７】
図７は、無線通信モジュール２０１、レンズホルダ２０３及びカード基板２０６の位置関係を示す平面図であり、本体部１０１をその底面側から（トップカバー１０５側に向かって）見た図である。レンズホルダ２０３は、無線通信モジュール２０１を固定可能な形状に設計されている。また、レンズホルダ２０３と無線通信モジュール２０１とは、無線通信基板３００の対角に位置する２点でビス６０１により、電気的に接続されると共に機械的に接続固定されている。このような接続形態を採用することにより、無線通信モジュール２０１の通信性能を安定させることができると共に外部からの静電気による破壊を防止することができ、更に、振動や衝撃によってアンテナ部３０５の位置がずれない構成を実現することができる。
【００２８】
また、無線通信モジュール２０１の通信性能を高めるために、レンズホルダ２０３は、本体部１０１の天面側（又は底面側）から見たときに、アンテナ部３０５と重ならない形状で、無線通信モジュール２０１を固定することができなければならない。また、コストダウンのために、無線通信モジュール２０１を、部品を追加せずにレンズホルダ２０３に固定する必要がある。これらの条件を満足させるために、本実施形態では、レンズホルダ２０３の端面２０３ａを切り欠いた形状としている。更に、本実施形態では、本体部１０１の天面側から見たときに、アンテナ部３０５と重ならない位置にカード基板２０６が配置されている。この配置によって、カード基板２０６が無線通信モジュール２０１の通信性能を低下させない。
【００２９】
図８は、図１の矢視Ａ−Ａ断面図であり、無線通信モジュール２０１の近傍の構造を示している。そこで、本実施形態では、無線通信モジュール２０１のアンテナ部３０５の周辺において外観形状を構成するトップカバー１０５とバッテリ収納部カバー１０９とが、略凸Ｒ形状部８０１を形成している。こうして、アンテナ部３０５とトップカバー１０５との間に空間を設けている。この空間によって電波が人体に対して影響を一定以下に制限している。また、ビデオカメラ１００では、無線通信モジュール２０１のアンテナ部３０５の周辺に金属部品を配置しておらず、その上方と後方にはプラスチック部品のみを配置することで、通信性能を向上させている。
【００３０】
トップカバー１０５には、アンテナ素子部３０１の上方近傍に伸びるリブ形状部８０２を設けている。リブ形状部８０２の高さを調整することにより、アンテナ素子部３０１の性能を向上させることができる。これは、空気層とプラスチック層の電波の伝達の違いを利用して、リブ形状部の高さ調整により周波数帯の調整をすることができるからである。こうして、部品を増やすことなく電波調整を行うことができる。
【００３１】
更に、図８に示したように、ビデオカメラ１００では、ズームキーユニット１１０の後方、且つ、バッテリ収納部カバー１０９の上方に、無線通信モジュール２０１を配置している。これにより、トリガスイッチ１１１を親指で操作し、ズームキーユニット１１０のズームノブを人差指で操作するように本体部１０１を把持した状態では、無線通信モジュール２０１のアンテナ部３０５は手で覆われる可能性は低い。したがって、撮影時にも、無線通信モジュール２０１の通信性能の低下を防止することができる。
【００３２】
以上説明したように、本実施形態に係る、レンズ光軸と平行な方向に長い本体部１０１を有するビデオカメラ１００では、無線通信モジュール２０１の近傍に金属部品が配置されていない。また、無線通信モジュール２０１は、撮影中に撮影者の手によって覆われる可能性の低い位置に配置されている。したがって、ビデオカメラ１００を把持した状態においても、受信感度等の通信性能を低下させずに無線通信を行うことができる。
【００３３】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３４】
１００    ビデオカメラ
１０５    トップカバー
１０９    バッテリ収納部カバー
１１０    ズームキーユニット
２０１    無線通信モジュール
２０２    撮影レンズ
２０３    レンズホルダ
３０１    アンテナ素子部
３０５    アンテナ部
５０１    ズーム板金
８０１    略凸Ｒ形状部
８０２    リブ形状部
【図１】
2014123880.tif 000003
【図２】
2014123880.tif 000004
【図３】
2014123880.tif 000005
【図４】
2014123880.tif 000006
【図５】
2014123880.tif 000007
【図６】
2014123880.tif 000008
【図７】
2014123880.tif 000009
【図８】
2014123880.tif 000010